(57)【要約】  本発明は、複数の加入者局（ＭＳ１，ＭＳ２，Ａ，Ｂ，Ｃ，Ｄ，Ｅ，Ｆ，Ｇ，Ｈ，Ｉ）およびネットワーク装置（ＢＳ１，ＢＳ２，ＮＥＴ）を包含するセルラ無線通信システムにおける無線リソースの割り当て方法に関する。無線通信システムにおいては、通信のために複数のサブキャリアに分割された周波数帯域が使用される。複数の無線セル（Ｚ１，Ｚ２）においては、１つまたは複数のネットワーク装置によって周波数帯域がそれぞれ１つまたは複数のサブキャリアを有するサブ帯域（ＳＵＢ１，ＳＵＢ２，ＳＵＢ３，ＳＵＢ４，ＳＵＢ５，ＳＵＢ６）に分割され、加入者局が複数のグループに分割され、各グループに１つのサブ帯域が通信のために割り当てられる。本発明によれば、サブ帯域の数は少なくとも２つの無線セルに関して相互に異なる。さらに本発明は、本方法を実施するためのネットワーク装置およびコンピュータプログラム製品に関する。
2007503139.tif 000002
【特許請求の範囲】
【請求項１】
無線通信システムにおける通信に複数のサブキャリア（ＣＡＲ）に分割された周波数帯域（Ｂ）を使用する、複数の加入者局（ＭＳ１，ＭＳ２，Ａ，Ｂ，Ｃ，Ｄ，Ｅ，Ｆ，Ｇ，Ｈ，Ｉ）およびネットワーク装置（ＢＳ１，ＢＳ２，ＮＥＴ）を包含するセルラ無線通信システムにおいて無線リソースを割り当てる方法であって、
複数の無線セル（Ｚ１，Ｚ２）において、１つまたは複数のネットワーク装置（ＢＳ１，ＢＳ２，ＮＥＴ）により、
・前記周波数帯域（Ｂ）をそれぞれ１つまたは複数のサブキャリア（ＣＡＲ）を有する複数のサブ帯域（ＳＵＢ１，ＳＵＢ２，ＳＵＢ３，ＳＵＢ４，ＳＵＢ５，ＳＵＢ６）に分割し、
・加入者局（Ａ，Ｂ，Ｃ，Ｄ，Ｅ，Ｆ，Ｇ，Ｈ，Ｉ）を複数のグループ（Ｇ１，Ｇ２，Ｇ３）に分割し、
・通信のために各グループ（Ｇ１，Ｇ２，Ｇ３）に１つのサブ帯域（ＳＵＢ１，ＳＵＢ２，ＳＵＢ３，ＳＵＢ４，ＳＵＢ５，ＳＵＢ６）を割り当てる、無線リソースを割り当てる方法において、
前記サブ帯域（ＳＵＢ１，ＳＵＢ２，ＳＵＢ３，ＳＵＢ４，ＳＵＢ５，ＳＵＢ６）の数は少なくとも２つの無線セル（Ｚ１，Ｚ２）に関して相互に異なることを特徴とする、無線リソースを割り当てる方法。
【請求項２】
前記少なくとも２つの無線セル（Ｚ１，Ｚ２）の各無線セル（Ｚ１，Ｚ２）において、それぞれの無線セル（Ｚ１，Ｚ２）内の伝送条件に依存して、サブ帯域（ＳＵＢ１，ＳＵＢ２，ＳＵＢ３，ＳＵＢ４，ＳＵＢ５，ＳＵＢ６）の数を１つまたは複数のネットワーク装置（ＢＳ１，ＢＳ２，ＮＥＴ）によって決定する、請求項１記載の方法。
【請求項３】
前記伝送条件はそれぞれの無線セル（Ｚ１，Ｚ２）内のサブキャリア（ＣＡＲ）の伝送容量である、請求項２記載の方法。
【請求項４】
前記伝送条件を少なくとも１つの加入者局（ＭＳ１，ＭＳ２，Ａ，Ｂ，Ｃ，Ｄ，Ｅ，Ｆ，Ｇ，Ｈ，Ｉ）および／または少なくとも１つのネットワーク装置（ＢＳ１，ＢＳ２）が信号ノイズ比を測定することにより求める、請求項２または３記載の方法。
【請求項５】
前記少なくとも２つの無線セル（Ｚ1，Ｚ２）の各無線セル（Ｚ１，Ｚ２）において、サブ帯域（ＳＵＢ１，ＳＵＢ２，ＳＵＢ３，ＳＵＢ４，ＳＵＢ５，ＳＵＢ６）の数を、後続の前記周波数帯域（Ｂ）のサブ帯域（ＳＵＢ１，ＳＵＢ２，ＳＵＢ３，ＳＵＢ４，ＳＵＢ５，ＳＵＢ６）への分割、加入者局（Ａ，Ｂ，Ｃ，Ｄ，Ｅ，Ｆ，Ｇ，Ｈ，Ｉ）のグループ（Ｇ１，Ｇ２，Ｇ３）への分割およびサブ帯域（ＳＵＢ１，ＳＵＢ２，ＳＵＢ３，ＳＵＢ４，ＳＵＢ５，ＳＵＢ６）のグループ（Ｇ１，Ｇ２，Ｇ３）への割り当てにより実現されるデータ伝送を考慮して、１つまたは複数のネットワーク装置（ＢＳ１，ＢＳ２，ＮＥＴ）によって決定する、請求項１から４までのいずれか１項記載の方法。
【請求項６】
少なくとも１つの無線セル（Ｚ１，Ｚ２）において、サブ帯域（ＳＵＢ１，ＳＵＢ２，ＳＵＢ３，ＳＵＢ４，ＳＵＢ５，ＳＵＢ６）への分割、グループ（Ｇ１，Ｇ２，Ｇ３）への分割およびサブ帯域（ＳＵＢ１，ＳＵＢ２，ＳＵＢ３，ＳＵＢ４，ＳＵＢ５，ＳＵＢ６）のグループ（Ｇ１，Ｇ２，Ｇ３）への割り当てを、それぞれの無線セル（Ｚ１，Ｚ２）内の伝送容量を高めるために、サブ帯域への分割、グループへの分割およびサブ帯域（ＳＵＢ１，ＳＵＢ２，ＳＵＢ３，ＳＵＢ４，ＳＵＢ５，ＳＵＢ６）のグループ（Ｇ１，Ｇ２，Ｇ３）への割り当ての最初の状況の伝送容量に基づき、サブ帯域への分割、グループへの分割およびサブ帯域（ＳＵＢ１，ＳＵＢ２，ＳＵＢ３，ＳＵＢ４，ＳＵＢ５，ＳＵＢ６）のグループ（Ｇ１，Ｇ２，Ｇ３）への割り当ての変更された状況の伝送容量を計算する方式を使用して行う、請求項１から５までのいずれか１項記載の方法。
【請求項７】
サブ帯域への分割およびサブ帯域（ＳＵＢ１，ＳＵＢ２，ＳＵＢ３，ＳＵＢ４，ＳＵＢ５，ＳＵＢ６）のグループ（Ｇ１，Ｇ２，Ｇ３）への割り当てを変更せずに、一方のグループ（Ｇ１，Ｇ２，Ｇ３）の少なくとも１つの加入者局（Ａ，Ｂ，Ｃ，Ｄ，Ｅ，Ｆ，Ｇ，Ｈ，Ｉ）を他方のグループ（Ｇ１，Ｇ２，Ｇ３）の加入者局（Ａ，Ｂ，Ｃ，Ｄ，Ｅ，Ｆ，Ｇ，Ｈ，Ｉ）と交換することにより、および／または、グループへの分割およびサブ帯域（ＳＵＢ１，ＳＵＢ２，ＳＵＢ３，ＳＵＢ４，ＳＵＢ５，ＳＵＢ６）のグループ（Ｇ１，Ｇ２，Ｇ３）への割り当てを変更せずに、一方のサブ帯域（ＳＵＢ１，ＳＵＢ２，ＳＵＢ３，ＳＵＢ４，ＳＵＢ５，ＳＵＢ６）の少なくとも１つのサブキャリア（ＣＡＲ）を他方のサブ帯域（ＳＵＢ１，ＳＵＢ２，ＳＵＢ３，ＳＵＢ４，ＳＵＢ５，ＳＵＢ６）のサブキャリア（ＣＡＲ）と交換することにより、前記第１の状況から前記変更された状況を形成する、請求項６記載の方法。
【請求項８】
前記少なくとも２つの無線セル（Ｚ１，Ｚ２）の各無線セル（Ｚ１，Ｚ２）において、サブ帯域（ＳＵＢ１，ＳＵＢ２，ＳＵＢ３，ＳＵＢ４，ＳＵＢ５，ＳＵＢ６）の数を、１つまたは複数のネットワーク装置（ＢＳ１，ＢＳ２，ＮＥＴ）によって、伝送容量を上昇させるための前記方式においてそれぞれの無線セル（Ｚ１，Ｚ２）内の伝送容量の所定の上昇および／またはそれぞれの無線セル（Ｚ１，Ｚ２）内の所定の伝送容量が達成されるよう決定する、請求項６または７記載の方法。
【請求項９】
サブ帯域（ＳＵＢ１，ＳＵＢ２，ＳＵＢ３，ＳＵＢ４，ＳＵＢ５，ＳＵＢ６）のグループ（Ｇ１，Ｇ２，Ｇ３）への割り当て後に、加入者局（ＭＳ１，ＭＳ２，Ａ，Ｂ，Ｃ，Ｄ，Ｅ，Ｆ，Ｇ，Ｈ，Ｉ）の通信の際に、データビットを符号の使用のもとで、それぞれ割り当てられたサブ帯域（ＳＵＢ１，ＳＵＢ２，ＳＵＢ３，ＳＵＢ４，ＳＵＢ５，ＳＵＢ６）の多数のサブキャリア（ＣＡＲ）または全てのサブキャリア（ＣＡＲ）で拡散する、請求項１から８までのいずれか１項記載の方法。
【請求項１０】
サブ帯域（ＳＵＢ１，ＳＵＢ２，ＳＵＢ３，ＳＵＢ４，ＳＵＢ５，ＳＵＢ６）のグループ（Ｇ１，Ｇ２，Ｇ３）への割り当て後に、１つのグループ（Ｇ１，Ｇ２，Ｇ３）の加入者局（ＭＳ１，ＭＳ２，Ａ，Ｂ，Ｃ，Ｄ，Ｅ，Ｆ，Ｇ，Ｈ，Ｉ）の通信の際に、少なくとも部分的に同一のサブキャリア（ＣＡＲ）で伝送される信号を空間的な伝播により相互に区別する、請求項１から９までのいずれか１項記載の方法。
【請求項１１】
無線通信システムにおける通信に複数のサブキャリア（ＣＡＲ）に分割された周波数帯域（Ｂ）が使用される、例えば請求項１から１０までのいずれか１項記載の方法を実施する、複数の加入者局（ＭＳ１，ＭＳ２，Ａ，Ｂ，Ｃ，Ｄ，Ｅ，Ｆ，Ｇ，Ｈ，Ｉ）を包含するセルラ無線通信システムの無線セル（Ｚ１）のためのネットワーク装置（ＢＳ１）において、
・サブ帯域（ＳＵＢ１，ＳＵＢ２，ＳＵＢ３）の数を前記無線セル（Ｚ１）内の伝送条件に依存して決定する手段（Ｍ１）と、
・前記周波数帯域（Ｂ）をそれぞれ１つまたは複数のサブキャリア（ＣＡＲ）を有する複数のサブ帯域（ＳＵＢ１，ＳＵＢ２，ＳＵＢ３）に分割する手段（Ｍ２）と、
・加入者局（Ａ，Ｂ，Ｃ，Ｄ，Ｅ，Ｆ，Ｇ，Ｈ，Ｉ）を複数のグループ（Ｇ１，Ｇ２，Ｇ３）に分割する手段（Ｍ３）と、
・前記サブ帯域（ＳＵＢ１，ＳＵＢ２，ＳＵＢ３）を通信のためにそれぞれ１つのグループ（Ｇ１，Ｇ２，Ｇ３）に割り当てる手段（Ｍ４）とを有することを特徴とする、ネットワーク装置。
【請求項１２】
無線通信システムにおける通信に複数のサブキャリア（ＣＡＲ）に分割された周波数帯域（Ｂ）が使用される、複数の加入者局（ＭＳ１，ＭＳ２，Ａ，Ｂ，Ｃ，Ｄ，Ｅ，Ｆ，Ｇ，Ｈ，Ｉ）を包含するセルラ無線通信システムの無線セル（Ｚ１，Ｚ２）のためのネットワーク装置用のコンピュータプログラム製品において、
・サブ帯域（ＳＵＢ１，ＳＵＢ２，ＳＵＢ３，ＳＵＢ４，ＳＵＢ５，ＳＵＢ６）の数を前記無線セル（Ｚ１，Ｚ２）内の伝送条件に依存して決定し、
・前記周波数帯域（Ｂ）をそれぞれが１つまたは複数のサブキャリア（ＣＡＲ）を包含するサブ帯域（ＳＵＢ１，ＳＵＢ２，ＳＵＢ３，ＳＵＢ４，ＳＵＢ５，ＳＵＢ６）に分割し、
・加入者局（Ａ，Ｂ，Ｃ，Ｄ，Ｅ，Ｆ，Ｇ，Ｈ，Ｉ）を複数のグループ（Ｇ１，Ｇ２，Ｇ３）に分割し、
・前記サブ帯域（ＳＵＢ１，ＳＵＢ２，ＳＵＢ３，ＳＵＢ４，ＳＵＢ５，ＳＵＢ６）を通信のためにそれぞれ１つのグループ（Ｇ１，Ｇ２，Ｇ３）に割り当てることを特徴とする、コンピュータプログラム製品。
【発明の詳細な説明】
【技術分野】
【０００１】
本発明は、複数の加入者局およびネットワーク装置を包含するセルラ無線通信システムにおける無線リソースの割り当て方法に関する。
【０００２】
さらに本発明は、複数の加入者局を包含するセルラ無線通信システムの無線セルのためのネットワーク装置および複数の加入者局を包含するセルラ無線通信システムの無線セルのためのネットワーク装置用のコンピュータプログラム製品に関する。
【０００３】
無線通信システムにおいては情報（例えば音声、画像情報、ビデオ情報、ＳＭＳ（ショートメッセージサービス）または他のデータ）が電磁波を用いることにより無線インタフェースを介して送信側の無線局と受信側の無線局との間で伝送される。この場合電磁波の放射は、それぞれのシステムに対して設けられている周波数帯域内にあるキャリア周波数を用いて行われる。無線通信システムは加入者局のような無線局、例えば移動局、また基地局、例えばノードＢ、または他の無線アクセス装置を包含することができ、必要に応じて別のネットワーク装置も包含することができる。セルラ無線通信システムは個々の複数の無線セルから構成されており、これらの無線セルはそれぞれ例えば基地局または無線を支援するローカルネットワーク（ＷＬＡＮ、ワイヤレスローカルエリアネットワーク；Wireless Local Area Network）の無線アクセスポイントによって使用される。
【０００４】
ＵＭＴＳ（Universal Mobile Telecommunication System）のような第３世代の移動無線通信システムに対しては約２０００ＭＨｚの周波数帯域内の周波数が設けられている。これらのシステムまた別のシステムはより広範なサービスを提供するため、また無線通信システムにおいては通常余裕のない無線リソースをフレキシブルに管理するために開発されたものである。無線リソースをフレキシブルに割り当てることによって、加入者局は必要の際に大量のデータを高速に送信および／または受信できることが実現されるべきである。
【０００５】
例えば時間、空間、周波数、符号のような共通の無線リソースへの加入者局のアクセスは、無線通信システムにおいては多重アクセス（Multiple Access、ＭＡ）方式によって調整される。
【０００６】
時間領域の多重アクセス方式（ＴＤＭＡ）においては、時間の無線リソースがタイムスロットに分割され、周期的に繰り返される１つまたは複数のタイムスロットが加入者局に割り当てられる。ＴＤＭＡによって時間の無線リソースは局固有に分割される。周波数領域の多重アクセス方式（ＦＤＭＡ）においては、周波数帯域が狭帯域の領域に分割され、１つまたは複数の狭帯域の領域が加入者局に割り当てられる。ＦＤＭＡによって周波数の無線リソースは局固有に分割される。多くの無線通信システムはＴＤＭＡとＦＤＭＡの組み合わせを使用するので、狭い周波数帯域がタイムスロットに分割されている。
【０００７】
符号領域の多重アクセス方式（ＣＤＭＡ）においては、複数の個別のいわゆるチップから構成されている拡散符号によって伝送すべき情報ビットが多重化される。基地局の無線セル内の種々の加入者局によって使用される拡散符号はそれぞれ相互に直交するか、実質的に相互に直交しており、これによって受信器はこの受信器に送信された信号を識別し、別の信号を抑制することができる。ＣＤＭＡによって無線リソースは直交する符号のセットの形態で局固有に分割される。
【０００８】
データの可能な限り効率的な伝送を保証するために、使用される周波数帯域を複数のサブキャリアに分割することができる（マルチキャリア方式）。マルチキャリアシステムを基礎とする着想は、広帯域の信号の伝送の送出の問題を大量の狭帯域の信号の伝送に移行するということである。このことは殊に、受信器に必要とされる複雑性を低減することができるという利点を有する。さらには、使用される帯域幅を複数の狭帯域のサブキャリアに分割することにより、伝送すべきデータの種々のサブキャリアへの分配に関してデータ伝送の非常に高い細分性が実現される。すなわち、無線リソースを伝送すべきデータないし受信器により高い精度で分配することができる。
【０００９】
ＯＤＦＭ（直交周波数分割変調方式；Orthogonal Frequency Division Multiplexing）においては、時間的にほぼ矩形のパルス形状がサブキャリアに使用される。サブキャリアの周波数間隔は、周波数空間において、サブキャリアの信号を評価する周波数では別のサブキャリアの信号がゼロ交差を示すように選択される。したがってサブキャリアは相互に直交する。直交性は個々のサブキャリアを判別できることを保証するので、サブキャリアのスペクトルの重畳、またこれにより生じるサブキャリアの高いパッケージング密度（Packungsdichte）を実現することができる。したがって高いスペクトル効率が得られる。サブキャリアの間隔は大抵の非常に狭いので、個々のサブキャリアでの伝送は一般的に周波数選択的ではないことが保証されるべきである。このことは受信器における信号の歪み修正を容易にする。時間単位の間に直交するサブキャリアで伝送されるデータシンボルはＯＦＤＭシンボルと称される。
【００１０】
マルチキャリア・符号領域の多重アクセス方式（ＭＣＣＤＭＡ、Multi Carrier-CDMA）はＣＤＭＡとＯＦＤＭの組み合わせからなるものであり、シンボルの拡散は周波数空間において、すなわち全てのサブキャリアで行われる。直交する符号を用いることにより、拡散されたシンボルのチップが種々の加入者局に同時に伝送される。ＭＣ−ＣＤＭＡによって周波数および直交する符号のセットからなる無線リソースは局固有に分割される。
【００１１】
マルチキャリア方式では、使用される全ての周波数帯域幅、すなわち全てのサブキャリアを暫時的に１つの加入者局に割り当てる、すなわち通信に使用することが可能である。別の可能性はサブキャリアをサブ帯域にグループ化することであり、この場合サブ帯域は殊に同数のサブキャリアを有する。これによって、複数のサブキャリアが存在する以外にも、複数のサブ帯域に存在する別のＦＤＭＡ成分が導入される。この場合加入者局をグループに区分することができ、各グループにはサブ帯域の内の１つが割り当てられる。サブ帯域の形態でマルチキャリアシステムに付加的なＦＤＭＡ成分を導入することは、帯域幅全てを加入者局に割り当てることに比べて、より高い細分性、したがって無線リソースの割り当ての際により高いフレキシビリティを達成することができるという利点を有する。しかしながら、使用される周波数帯域をサブ帯域に分割するこの方式は、加入者局への無線リソースの割り当ての効率に対して影響を及ぼすことを考慮しなければならない。
【００１２】
本発明の課題は、セルラマルチキャリア無線通信システムにおいて無線リソースを効率的に割り当てるための方法およびネットワーク装置を提供することである。さらに、本方法を支援するためのコンピュータプログラム製品が提案されるべきである。
【００１３】
この課題は方法に関しては請求項１の特徴を備えた方法によって解決される。
【００１４】
有利な実施形態および発展形態は従属請求項の対象である。
【００１５】
本方法は、複数の加入者局およびネットワーク装置を包含するセルラ無線通信システムにおいて無線リソースを割り当てるために使用される。無線通信システムにおいては、通信のために複数のサブキャリアに分割された周波数帯域が使用される。複数の無線セルにおいては、１つまたは複数のネットワーク装置によって周波数帯域は、それぞれが１つまたは複数のサブキャリアを有する複数のサブ帯域に分割され、加入者局は複数のグループに分割され、各グループには通信のためにサブ帯域が割り当てられる。本発明によれば、サブ帯域の数は少なくとも２つの無線セルに関して相互に異なる。
【００１６】
無線通信システムにおいては、サブキャリアに分割されている広範な周波数帯域が使用され、この周波数帯域の他に別の周波数帯域も使用することができる。周波数帯域をサブキャリアに分割することは、本発明の範囲においては所定の分割と見なされる。殊にサブキャリアとは同じ幅、すなわち等間隔のサブキャリアであり、このようなサブキャリアはＯＦＤＭ伝送に使用される。サブ帯域への分割、グループへの分割およびサブ帯域のグループへの割り当てを行う１つまたは複数のネットワーク装置は、複数の無線セルに共通の装置であるか、個々の無線セルを担当するネットワーク装置でよい。
【００１７】
周波数帯域のサブ帯域への分割が行われ、この際各サブ帯域は少なくとも１つのサブキャリアを有し、特別な事例においては全てのサブ帯域が少なくとも２つのサブキャリアを有する。１つの無線セルの種々のサブ帯域は相互に異なる数のサブキャリアを有していてもよく、特別な事例によれば１つの無線セルの全てのサブ帯域が同じ周波数幅を有する。さらには、加入者局、殊に無線リソースの要求を通知した加入者局のみがグループに分割される。有利にはグループの数は１つの無線セルのサブ帯域の数に対応する。各サブキャリアが１つのサブ帯域にのみ属し、また各加入者局が１つのグループにのみ属すことも可能である。有利には、各サブキャリアが１つのサブ帯域にのみ属し、他方では多数または全ての加入者局が１つ以上のグループに対応付けられている。
【００１８】
本発明によれば、無線通信システムの少なくとも多数の無線セルに対して使用されるサブ帯域の数は無線セル固有である。したがって隣接する無線セルは同数または異なる数のサブ帯域を使用することができる。つまり考察する無線通信システムにおいては、周波数帯域のサブ帯域への分割の場所依存性が存在する。
【００１９】
本発明の実施形態によれば、少なくとも２つの無線セルの各無線セルにおいては１つまたは複数のネットワーク装置のサブ帯域の数がそれぞれの無線セル内の伝送条件に依存して決定される。したがって無線セルにおいて使用されるサブ帯域の使用数は、それぞれの無線セル内の伝送条件、例えば無線セル内の建造物または無線信号のマルチパス伝播に影響を及ぼす他の要因のような伝送条件が影響を及ぼすパラメータに依存する。
【００２０】
伝送条件として殊にそれぞれの無線セル内のサブキャリアの伝送容量が考えられる。伝送容量は帯域幅毎のビットレートを表す。このビットレートを信号ノイズ比ないしチャネル伝達係数を測定することによって検出することができ、チャネル伝達係数の検出は信号ノイズ比の測定またそれに続くシャノンの公式の使用を含む。伝送条件を少なくとも１つの加入者局および／または少なくとも１つのネットワーク装置によって信号ノイズ比、殊にサブキャリア固有の信号ノイズ比またはサブキャリア毎の信号ノイズ比を測定することによって求めることができる。
【００２１】
本発明の実施形態では、少なくとも２つの無線セルの各無線セルにおいては、サブ帯域の数が１つまたは複数のネットワーク装置によって、後続の周波数帯域のサブ帯域への分割、加入者局のグループへの分割およびサブ帯域のグループへの割り当てによって実現されるデータ伝送を考慮して決定される。ここで、実現されるデータ伝送とは平均してまたは通常の状況でサブ帯域への分割、グループへの分割およびサブ帯域のグループへの割り当てが行われる際に実現することができるデータ伝送と解される。したがってサブ帯域の数の決定は、無線リソースの割り当てが行われた後にそれぞれの無線セルにおいてどのような伝送品質が得られるべきかによって影響される。
【００２２】
有利には、少なくとも１つの無線セルにおいて、サブ帯域への分割、グループへの分割およびサブ帯域のグループへの割り当ては、それぞれの無線セルにおける伝送容量を高めるためにサブ帯域への分割、グループへの分割およびサブ帯域のグループへの割り当ての最初の状況の伝送容量に基づいて、サブ帯域への分割、グループへの分割およびサブ帯域のグループへの割り当ての変更された状況の伝送容量が計算される方法を使用して行われる。これによって異なる状況の伝送容量を比較することができるので、伝送容量が高い状況を選択することにより、無線リソースを可能な限り効率的に利用する状況を求めることができ、また求められた状況に応じて無線リソースを加入者局に割り当てることができる。これらの状況、すなわち最初の状況と変更された状況は、加入者局に無線リソースが割り当てられた実際の状況ではなく、むしろ無線リソースを仮定の状況にしたがい加入者局に割り当てたという前提のもとで、伝送容量の計算のみに使用される仮定の状況でよい。
【００２３】
変更された状況を最初の状況から、サブ帯域への分割およびサブ帯域のグループへの割り当ては変わらないままで、少なくとも１つの加入者局を別のグループの加入者局と交換することによって、および／または、グループへの分割およびサブ帯域のグループへの割り当ては変わらないままで、サブ帯域の少なくとも１つのサブキャリアを別のサブ帯域のサブキャリアと交換することによって形成することができる。殊にこの交換アルゴリズムは、その都度異なるグループからそれぞれちょうど２つの加入者局、また異なるサブ帯域から２つのサブキャリアが交換され、これにより変更された状況を形成するということを実現する。
【００２４】
本発明の実施形態によれば、少なくとも２つの無線セルの各無線セルにおいてはサブ帯域の数が、１つまたは複数のネットワーク装置によって、伝送容量を高めるための方法においてそれぞれの無線セル内の伝送容量の所定の上昇、および／または、それぞれの無線セル内の所定の伝送容量を達成することができるように決定される。ここでは、例えば全ての無線セルに対する伝送容量の同一の上昇および／またはそれぞれの無線セルにおける伝送容量を設定することができる。「達成することができる」とは平均してないし通常の状態での達成可能性と解される。
【００２５】
本発明の実施形態においては、加入者局の通信の際にサブ帯域をグループに割り当てた後に、データビットが符号の使用によりその都度割り当てられたサブ帯域の多数または全てのサブキャリアで拡散されるので、これはＭＣ−ＣＤＭＡ伝送方式である。
【００２６】
１つのグループの加入者局の通信の際にサブ帯域をグループに割り当てた後に、少なくとも部分的に同一のサブキャリアで伝送される信号もその空間的な伝播によって相互に区別することができる。この場合伝送方式はＭＣ−ＳＤＭＡ伝送方式である。殊にＭＣ−ＣＤＭＡ方式とＭＣ−ＳＤＭＡ方式の組み合わせも可能である。
【００２７】
前述の課題はネットワーク装置に関しては、請求項１１の特徴を有するネットワーク装置によって解決される。
【００２８】
本発明によるネットワーク装置は、複数の加入者局を包含するセルラ無線通信システムの無線セルのために適したものであり、無線通信システムにおいては通信のために複数のサブキャリアに分割された周波数帯域が使用される。
【００２９】
ネットワーク装置はサブ帯域の数を無線セル内の伝送条件に依存して決定する手段、それぞれが１つまたは複数のサブキャリアを有する複数のサブ帯域へ周波数帯域を分割する手段、加入者局を複数のグループに分割する手段、および通信のためにサブ帯域をそれぞれ１つのグループに割り当てる手段を有する。
【００３０】
本発明によるネットワーク装置は殊に上述の本発明による方法を実施することに適しており、これは構成および実施形態にも該当する。このためにネットワーク装置は別の適切な手段を有する。本発明によるネットワーク装置は無線通信システムの構成部分で良く、この無線通信システムはネットワーク装置の他に複数の加入者局、また必要に応じて別のネットワーク装置を包含する。
【００３１】
コンピュータプログラム製品に関する前述の課題は、請求項１２の特徴を有するコンピュータプログラム製品によって解決される。コンピュータプログラム製品は、複数の加入者局を包含するセルラ無線通信システムの無線セルのためのネットワーク装置に適しており、無線通信システムにおいては通信のために複数のサブキャリアに分割された周波数帯域が使用される。コンピュータプログラム製品はサブ帯域の数を無線セル内の伝送条件に依存して決定し、それぞれが１つまたは複数のサブキャリアを有する複数のサブ帯域に周波数帯域を分割し、加入者局を複数のグループに分割し、また通信のためにサブ帯域をそれぞれ１つのグループに割り当てるために使用される。
【００３２】
殊に本発明によるコンピュータプログラム製品を無線通信システムのネットワーク装置に記憶し、そのネットワーク装置によって実行することができるか、ネットワーク装置によって別の装置からダウンロードすることもできる。本発明との関係においてコンピュータプログラム製品とは、（プログラムとコンピュータとの間の通常の物理的な相互作用を超えた技術的な作用を有する）本来のコンピュータプログラムの他に、殊にコンピュータプログラム用の記録媒体、ファイルコレクション、コンフィギュレーションされた計算ユニットであるか、例えばコンピュータプログラムに属するファイルが記憶されている記憶装置またはサーバであると解される。
【００３３】
以下では本発明を実施例に基づき詳細に説明する。ここで
図１はセルラ無線通信システムの一部を示し、
図２は周波数帯域のサブキャリアおよびサブ帯域への分割を示し、
図３は周波数と容量の関係を表すグラフを示し、
図４は本発明による基地局を示す。
【００３４】
図１はセルラ無線通信システムを示し、ここでは部分的に、それぞれ基地局ＢＳ１とＢＳ２を有する２つの無線セルＺ１およびＺ２が図示されている。２つの基地局ＢＳ１およびＢＳ２は別のネットワーク装置ＮＥＴおよびコアネットワーク（図示せず）と接続されており、このコアネットワークをやはり別の通信ネットワークおよびデータネットワークと接続することができる。明瞭にするために別の無線セルは図示していない。無線通信システムは例えば第３世代の全通達範囲型の無線通信システム、もしくは必ずしも必要ではないが全通達範囲型の相互に接続されているローカル無線通信システム（ＷＬＡＮ、Wireless Local Area Network）でよい。無線通信システムは例えばＩＥＥＥ８０２．１１標準または他のＩＥＥＥ８０２．ｘ標準にしたがい構成することができる。ローカルネットワークでは基地局ＢＳ１およびＢＳ２がＷＬＡＮの無線アクセスポイント（ＡＰ、Access Point）に相当する。無線通信システムの別の構成要素は、ラップトップ、ＰＤＡ（Personal Digital Agents）、携帯電話またはスマートフォンのような加入者局である。図１では無線セルＺ１内に移動局ＭＳ１が存在し、また無線セルＺ２内に移動局ＭＳ２が存在する。さらには無線セルＺ１内には移動局Ａ，Ｂ，Ｃ，Ｄ，Ｅ，Ｆ，Ｇ，ＨおよびＩが存在する。
【００３５】
無線通信システムの移動局ＭＳ１、ＭＳ２，Ａ，Ｂ，Ｃ，Ｄ，Ｅ，Ｆ，Ｇ，ＨおよびＩは、周波数帯域を使用することにより無線を介してそれぞれの無線セルＺ１およびＺ２の基地局ＢＳ１およびＢＳ２と通信する。そのような周波数帯域Ｂが図２に示されている。ここでは垂直方向に周波数がプロットされている。周波数帯域Ｂは等間隔で同じ幅の複数のサブキャリアＣＡＲに分割されており、例えばＯＦＤＭ帯域が考えられる。２０ＭＨｚの周波数帯域Ｂの周波数幅である場合には、５１２のＯＦＤＭサブキャリアＣＡＲへの分割が提供される。
【００３６】
しかしながらこれに関しては、移動局が基地局と通信する際に全ての周波数帯域Ｂは使用されない。むしろ周波数帯域Ｂは複数のサブ帯域に分割される。無線セルＺ１に対しては例えば図１の上および図２に示されているように、周波数帯域Ｂは３つのサブ帯域ＳＵＢ１，ＳＵＢ２およびＳＵＢ３に分割され、これらのサブ帯域はそれぞれ同数のサブキャリアＣＡＲを有する。無線セルＺ１のサブ帯域ＳＵＢ１，ＳＵＢ２およびＳＵＢ３はそれぞれ６つのサブキャリアＣＡＲを有する。図２においては個々のサブ帯域ＳＵＢ１，ＳＵＢ２およびＳＵＢ３のサブキャリアＣＡＲは隣接しているが、通常の場合周波数ダイバシティの理由から、サブ帯域ＳＵＢ１，ＳＵＢ２およびＳＵＢ３のサブキャリアＣＡＲは相互に間隔を置いているほうが好適である。つまり図２の例においては、サブ帯域ＳＵＢ１を１番目、７番目および１３番目のサブキャリアまたは別の順序の隣接していないサブキャリアから構成することも可能である。基本的に、サブ帯域毎のサブキャリアの数が全てのサブ帯域に関して等しい限り、サブキャリアのサブ帯域へのあらゆる分割が考えられる。
【００３７】
異なる無線セルにおいて周波数帯域が分割されるサブ帯域の数はセル毎に異なる。図１の上部には、無線セルＺ１においては３つのサブ帯域ＳＵＢ１，ＳＵＢ２およびＳＵＢ３が使用され、これに対し無線セルＺ２においては周波数帯域全体の６つのサブ帯域ＳＵＢ１，ＳＵＢ２，ＳＵＢ３，ＳＵＢ４，ＳＵＢ５およびＳＵＢ６への分割が行われることが示されている。全体の無線通信システムに関して、全ての無線セルのサブ帯域の数が相互に異なっている必要は無い。むしろ、サブ帯域の数が相互に異なる隣接する無線セル、またサブ帯域の数が一致する隣接する無線セルが存在していても良い。
【００３８】
通信のために無線リソースを目下必要としている無線セルの加入者局は、それぞれの基地局ＢＳ１またはＢＳ２、または他のネットワーク装置ＮＥＴによってグループに区分され、各グループには通信のために１つのサブ帯域が割り当てられる。図２においては、グループＧ１にサブ帯域ＳＵＢ１、グループＧ２にサブ帯域Ｇ２およびグループＧ３にサブ帯域Ｇ３が割り当てられている。グループＧ１は移動局Ａ，ＢおよびＣ、グループＧ２は移動局Ｄ，ＥおよびＦ、グループＧ３は移動局Ｇ，ＨおよびＩを包含する。しかしながら一般的に、全てのグループが同数の多数の移動局を包含する必要はない。
【００３９】
各グループの移動局は専ら、グループにその都度割り当てられたサブ帯域のサブキャリアＣＡＲで通信する。したがって個々のサブ帯域を個々のＭＣ−ＭＡ（Multi Carrier-Multi Access）システムとみなすことができる。同時に同じサブキャリアで送信される信号を区別できるようにするために、ＣＤＭＡ（符号分割多重アクセス；Code Division Multiple Access）方式またはＳＤＭＡ（空間分割多重アクセス、Space Division Multiple Access)方式を使用することができる。
【００４０】
ＣＤＭＡ方式を使用する場合には、データビットが周波数空間において、すなわち個々のサブキャリアＣＡＲを介して拡散される。移動局Ａは例えば長さ６の符号を使用することができ、その結果ある時点では、チップがサブ帯域ＳＵＢ１の６つのサブキャリアＣＡＲで送信ないし受信されるデータビットを移動局Ａによって送信ないし受信することができる。移動局Ａによって長さ３の２つの符号が使用される場合には、サブ帯域ＳＵＢ１の６つのサブキャリアＣＡＲで２つのデータビットを同時に伝送することができる。１つのグループ内の移動局によって使用される符号は、種々のデータビットを区別できるようにするために、相互に直行するか、少なくとも近似的に直行している必要がある。使用されるべき符号は所定の期間にわたり無線セルの基地局によって移動局に割り当てられる。通信のために、移動局は自身のグループのサブ帯域における全てのサブキャリアＣＡＲを使用することができ、またはこれらのサブキャリアの一部のみを使用することもできる。
【００４１】
ＣＤＭＡ方式による拡散符号を使用する代わりに、異なる移動局から、または異なる移動局へと同じサブキャリアＣＡＲで同時に送信される信号をＳＤＭＡ方式による信号の局所的な分離によって区別することも可能である。この場合には信号の指向性の放射が行われるので、異なる信号はそれぞれの受信器の場所において相互的な干渉を生じないか、無視できる程度の相互的な干渉しか生じない。
【００４２】
ＣＤＭＡ方式またはＳＤＭＡ方式に付加的に、時間の無線リソースをタイムスロットに分割することも有効である。つまり移動局Ａには第１のタイムスロットに関して例えば長さ３の符号を割り当てることができ、第２のタイムスロットに関して長さ６の符号を割り当てることができ、第３のタイムスロットに関して長さ３の符号を割り当てることができ、この場合、第１のタイムスロットと第２のタイムスロットとの間、ならびに第２のタイムスロットと第３のタイムスロットとの間には、移動局Ａに符号が割り当てられない別のタイムスロットが存在していてもよい。
【００４３】
伝送品質ないしサブキャリアＣＡＲのチャネルの質は通常の場合移動局毎に異なる。つまり移動局Ａはサブ帯域ＳＵＢ１の所定のサブキャリアＣＡＲでは、移動局Ｇが同じサブキャリアで得られる信号ノイズ比よりも低い信号ノイズ比を得ることが考えられる。無線リソースの移動局への割り当てはこの事実を顧慮することが望ましい。移動局が得る種々のチャネル品質を考慮した無線リソースの割り当てが一度行われていても、新たな移動局がその無線セルにおいて無線リソースを要求するか、これまでグループに所属していた移動局が無線セルを離れる場合には、この割り当てを修正する必要がある。
【００４４】
したがって、無線リソースを移動局に効率的に割り当てるためにインテリジェントで適応的な方法が使用される。このために基地局には、無線セルにおいて無線リソースを要求した各移動局と基地局との間における各チャネル、すなわち全てのサブキャリアＣＡＲのチャネル品質が既知であることが基礎とされる。
【００４５】
このことは例えば、移動局が基地局から送信されたパイロット信号に基づいて、各サブキャリアＣＡＲの信号ノイズ比またはチャネル伝達係数を検出し、その結果を基地局に伝送することによって行うことができる。サブキャリアＣＡＲの一部に対してのみパラメータ、すなわち信号ノイズ比またはチャネル伝達係数が検出される場合には、その他のサブキャリアＣＡＲに対するパラメータを検出するために基地局によって別個の計算または補間計算を行うことができる。択一的に、多数または全てのサブキャリアＣＡＲで移動局から送信されたパイロット信号に基づき基地局が測定ないし計算を実施することは有利である。
【００４６】
基地局と移動局のどちらがサブキャリアＣＡＲのチャネル評価を実施するかについての判断は、リソース割り当てに続いて行われるデータ伝送が殊に、下り方向（基地局から移動局）の伝送であるか、上り方向（移動局から基地局）の伝送であるかに依存する。下り方向における伝送の場合には下り方向でのチャネルの検出が考えられるので、この場合には移動局がサブキャリアＣＡＲのチャネル品質の検出を実施することが望ましい。反対の場合、すなわち上り方向における伝送の場合には、基地局によるチャネル評価の実施が有効である。
【００４７】
チャネル評価は移動局にとって手間がかかることを顧慮すべきである。さらには移動局によってチャネル品質を検出する場合には結果を基地局に伝送する必要があるので、これによって無線リソースが占有されることになる。したがってＴＴＤ（時分割多重；Time Division Duplex）方式が適用される場合には、将来的なデータ伝送でも下り方向において基地局がチャネル評価を実施することも可能である。この場合には、ＴＤＤシステムにおいて通常与えられている、上り方向と下り方向における伝送チャネルの相互関係が使用される。もっとも、基地局によるチャネル評価とデータ伝送との間には僅かな時間しか存在しないことが前提とされるので、チャネルがその時間中に大きく変化する可能性はない。
【００４８】
全てのサブキャリアＣＡＲおよび無線リソースに関心がある全ての移動局Ａ，Ｂ，Ｃ，Ｄ，Ｅ，Ｆ，Ｇ，Ｈ，Ｉに関する伝送チャネルの知識に基づき、基地局ＢＳ１ないしこの基地局ＢＳ１と接続されているネットワーク装置は殊に好適な無線リソースの割り当てを実施する。この場合、偶発的な状況に関する無線セルＺ１内の全体の伝送容量は、
・周波数帯域Ｂのサブ帯域ＳＵＢ１，ＳＵＢ２，ＳＵＢ３への分割、
・移動局Ａ，Ｂ，Ｃ，Ｄ，Ｅ，Ｆ，Ｇ，ＨおよびＩのグループＧ１，Ｇ２およびＧ３への分割、
・サブ帯域ＳＵＢ１，ＳＵＢ２およびＳＵＢ３のグループＧ１，Ｇ２およびＧ３への割り当て
から計算される。
【００４９】
ここで、周波数帯域ＢのサブキャリアＣＡＲへの分割は一定に設定されていることを考慮すべきである。このことは、例えばＯＦＤＭのような所定の伝送方式に対しては個々のサブキャリアＣＡＲの幅ないし間隔が任意の値を取るべきであることに起因する。さらには、無線セル内のサブ帯域の数はこの時点において、すなわちサブ帯域への分割、グループへの分割およびサブ帯域のグループへの割り当てから適切な状況を求めた際に設定されている。つまり、基地局ＢＳ１は無線リソースの割り当ての際に、周波数帯域Ｂが１８のサブキャリアＣＡＲに分割されており、且つ周波数帯域Ｂが同じ幅の３つのサブ帯域への分割が行われていることを基礎としている。
【００５０】
伝送容量はこのために使用される帯域幅毎のデータレートを表す。この伝送容量は例えばシャノンの公式を介してノイズレベルに関連する信号ノイズ比ないしチャネル伝達係数から導出することができる。無線セルにおける全体の伝送容量は個々の移動局に対する伝送容量の和である。１つの移動局に対する伝送容量は個々の伝送容量の和から得られ、それらの伝送容量は複数の移動局のグループに割り当てられたサブ帯域のサブキャリアでのそれら複数の移動局に対して求められたものである。
【００５１】
最初に基地局ＢＳ１は例えば図２に示された状況の伝送容量を計算する。続いて、移動局Ａが別のグループの各移動局Ｄ，Ｅ，Ｆ，Ｇ，Ｈ，Ｉと交換されるが、この際サブキャリアＣＡＲからなるサブ帯域ＳＵＢ１，ＳＵＢ２およびＳＵＢ３の構成またはサブ帯域のグループへの割り当ては変更されない。交換の結果生じる各状況に関して無線セル内の伝送容量が計算される。無線セル内の伝送容量が計算される毎に元に戻す交換が再度行われるので、１回の交換が無線セル内の伝送容量に及ぼす影響のみがその都度常に求められる。その後同様に、別の各移動局が別のグループの別の各移動局と交換され、その状況に関する無線セル内の伝送容量が計算される。移動局の仮定の交換において無線セル内の最も大きい伝送容量を生じさせた状況が後続のステップの出発点とされる。これは、図２に示されている種々のグループの丁度２つの移動局が交換されている状況である。考えられるそのような状況は、例えばグループＧ１が移動局Ｆ，Ｂ，Ｃから構成され、グループＧ２が移動局Ｄ，Ｅ，Ａから構成され、またグループＧ３が移動局Ｇ，Ｈ，Ｉから構成される場合である。
【００５２】
ここでは各交換は、その交換の結果生じる状況にしたがい無線リソースが移動局に割り当てられないように行われた。むしろ、交換後に無線セル内にどの程度の伝送容量が存在するかのみが計算される。
【００５３】
新たな状況に基づいて、サブ帯域ＳＵＢ１の第１のサブキャリアＣＡＲが別のサブ帯域ＳＵＢ２およびＳＵＢ３それぞれのサブキャリアと交換され、無線セル内の伝送容量が新たに計算される。このことは同様に別の各サブキャリアＣＡＲに対して実施される。無線セル内の伝送容量の最大の上昇をもたらした交換は保持される。したがって結果としては、図２の状況とは異なりちょうど２つの移動局およびちょうど２つのサブキャリアＣＡＲが交換されている状況が存在する。
【００５４】
引き続き、サブキャリアの別の交換などを続けて、上述の移動局の交換を新たに実施することができる。
【００５５】
前述の２つのステップ、すなわち異なるグループ間での移動局の交換および異なるサブ帯域間でのサブキャリアの交換を、無線セル内の所定の伝送容量が達成されるまで、または初期の状況と比較した無線セル内の伝送容量の所定の上昇が達成されるまで実施することができる。例えば時計のようなカウンタまたは実施されるステップの数用のカウンタが所定の値に達するまでステップを実施することも可能である。最後の状況が求められると、サブ帯域の構成、グループの構成およびサブ帯域のグループへの割り当てを知らせることによって無線リソースが移動局に割り当てられる。
【００５６】
適切なサブ帯域への分割、グループへの分割およびサブ帯域のグループへの割り当てを求めるための上述の方法においては、全てのサブキャリアに関するチャネル評価の結果が各移動局に入力されている。このチャネル評価の結果は無線セルの場所に依存する。つまり、例えばマルチパス伝播による無線信号の遅延（遅延拡散）に関しては、屋外無線セルに対しては５μｍの値が可能であり、屋内無線セルに対しては０．８μｍの値を期待することができる。図３は個々のサブキャリアに関する伝送容量を表すグラフである。右に向かって周波数がプロットされており、上に向かって容量がプロットされている。ここでは、５１２のサブキャリアに分割されている周波数帯域が８つのサブ帯域に区分されており、サブ帯域の境界は垂直の線によって示されている。急速に振れている線は屋外セルのサブキャリアの容量であり、滑らかな曲線は屋内セルのサブキャリアの容量を表す。屋外セルの曲線の変化は屋内セルの曲線の変化よりも大きいことが見て取れる。しかしながら、屋外セルの曲線に関するサブ帯域の全てのサブキャリアにわたる容量の平均値は、全てのサブ帯域についてほぼ等しいことも確認できる。これに対して屋内セルの曲線に関するサブキャリアの容量の値は、各サブ帯域の異なるサブキャリアについては殆ど変動しないが、サブ帯域の全てのサブキャリアにわたる容量の平均値はサブ帯域毎に大きく変化している。
【００５７】
図３には、８つの各サブ帯域の全てのサブキャリアが隣接している場合が示されている。しかしながら屋内無線セルおよび屋外無線セルに関する容量経過の特性に関する記述は、サブ帯域のサブキャリアが専ら隣接するサブキャリアでない場合にも該当する。
【００５８】
２つの容量経過のこの異なる様相に基づいて、上述の交換方法により種々の無線セルないし無線伝播が異なる領域における無線セルに関する種々の容量利得が達成される。図３に示されている周波数帯域のサブキャリアおよびサブ帯域への分割では、屋外無線セルに関する容量利得よりも大きい容量利得を屋内無線セルに関して達成できることが証明されている。このことは、交換方法における屋外無線セルの容量曲線の過度に低いサンプリングレートによって説明することができる。さらに、屋外無線セルに関する容量利得はサブ帯域毎のサブキャリアの数が低減されることによって、すなわち屋外無線セルにおいては８つ以上のサブ帯域が使用されることによって高められることを証明することができる。
【００５９】
本発明によれば、無線セル内の伝送条件に依存して、無線セル内で使用されるべきサブ帯域の数が確定される。伝送条件を実際に評価するために、１つの無線セルの種々の移動局の複数のチャネル評価結果に関する平均値が形成される。サブ帯域の適切な数を求めるための伝送条件の検出は、無線セルにおいて重大な変化が生じた場合には常に行われるべきである。そのような変化に関する例は、屋内無線セルにおいては壁または大きな家具類の新たな設置、または屋外無線セルにおいては木の葉が成長することによって惹起される遮蔽効果である。しかしながら通常の場合このような変化は殆ど生じることはないので、使用されるべきサブ帯域の数が一度求められるとその数を長い期間にわたり維持することができる。
【００６０】
それぞれの無線セル内の伝送条件が求められた後には、上述の交換方法において平均して達成される要領利得は使用される数が異なるサブ帯域に関してどの程度大きいものであるかが計算される。この評価に関して信頼性のあるパラメータはサブキャリアの容量の相関関係をフーリエ変換したものである。したがって交換方法による所定の容量利得または交換方法による所定の容量において、これらのために少なくとも必要とされるサブ帯域の数を求めることができる。所定の容量利得または所定の容量を無線通信システムの全ての無線セルに対して画一的とすることができ、その結果無線セルの境界を越えた伝送条件の均質化を実現することができる。
【００６１】
無線通信システムに関して、前述の構成は使用されるサブ帯域の数が場所ないし無線セルに依存しているという結果をもたらす。つまり、図１の上部に示されているように、無線セルＺ１においては３つのサブ帯域ＳＵＢ１，ＳＵＢ２およびＳＵＢ３が使用され、無線セルＺ２においては６つのサブ帯域ＳＵＢ１，ＳＵＢ２，ＳＵＢ３，ＳＵＢ４，ＳＵＢ５およびＳＵＢ６が使用される。無線セルＺ１は例えば屋内無線セルであり、無線セルＺ２は屋外無線セルである。
【００６２】
移動局ＭＳ１が無線セルＺ１から無線セルＺ２に切り替わると（ハンドオーバ）、この移動局ＭＳ１は無線セルＺ２において新たなグループ、したがってサブ帯域に対応付けられる。このことは、移動局が無線セルＺ１においては最大で６つのサブキャリアを通信のために使用していたが、今や移動局ＭＳ１は最大で３つのサブキャリアを使用する。最大限に割り当てられるサブキャリアがこのように低減されることを、移動局ＭＳ１に２倍の数の別の無線リソース、例えばタイムスロット、符号または空間方向が割り当てられることによって補償することができる。別の可能性は移動局を１つ以上のグループに対応付けることである。
【００６３】
図４は既述のステップを実施するための本発明による基地局ＢＳ１を示す。この基地局ＢＳ１は無線セル内の伝送条件に依存してサブ帯域の数を決定するための手段Ｍ１を有する。ここで伝送条件を無線セルの移動局によって検出して基地局ＢＳ１に伝送することができる、もしくは伝送条件は基地局ＢＳ１において適切な手段を使用して求められる。有利には、基地局ＢＳ１には永久的または半永久的に伝送条件を記憶するための手段も設けられている。所定数のサブ帯域は周波数帯域を複数のサブ帯域に分割するための手段Ｍ２によって使用される。さらには無線リソースを移動局に割り当てるために、無線リソースに関心のある移動局をグループに分割するための手段Ｍ３が設けられている。最後に、通信のためにサブ帯域をそれぞれ１つのグループに割り当てるための手段Ｍ４が使用される。
【図面の簡単な説明】
【００６４】
【図１】セルラ無線通信システムの一部。
【図２】周波数帯域のサブキャリアおよびサブ帯域への分割の様子。
【図３】周波数と容量の関係を表すグラフ。
【図４】本発明による基地局。
【図１】
2007503139.tif 000003
【図２】
2007503139.tif 000004
【図３】
2007503139.tif 000005
【図４】
2007503139.tif 000006
【手続補正書】
【提出日】平成17年4月13日(2005.4.13)
【手続補正１】
【補正対象書類名】明細書
【補正対象項目名】０００７
【補正方法】変更
【補正の内容】
【０００７】
符号領域の多重アクセス方式（ＣＤＭＡ）においては、複数の個別のいわゆるチップから構成されている拡散符号によって伝送すべき情報ビットが多重化される。基地局の無線セル内の種々の加入者局によって使用される拡散符号はそれぞれ相互に直交するか、実質的に相互に直交しており、これによって受信器はこの受信器に送信された信号を識別し、別の信号を抑制することができる。ＣＤＭＡによって無線リソースは直交する符号のセットの形態で局固有に分割される。
刊行物ＤＥ１９７  ２３  ０９０  Ａ１には、移動局のランダムなアクセスに対する周波数チャネルＲＡＣＨを有する無線通信システムが記載されている。この広帯域のチャネルＲＡＣＨは狭帯域のサブ領域に分割される。サブ領域をランダムなアクセスのために移動局のグループに割り当てることができる。
【国際調査報告】
2007503139.tif 000007
2007503139.tif 000008
2007503139.tif 000009
2007503139.tif 000010